(57)【要約】【課題】本発明の課題は、リヤハッチの窓口下端をグレンタンクの上面より高くすることによって、後方視界性を良くして安全性の高い作業を可能とし、タンク内のメンテナンス等の作業を容易にし、作業能率の向上を図ることにある。【解決手段】本発明は、刈取部の横側部に運転部を包囲するキャビンを配置してあるコンバインにおいて、キャビン後部のリヤハッチの窓口をその下端が後方のグレンタンクの上面より高い位置になるよう構成してあることを特徴とする。【選択図】        図２
2004337102.tif 000002
【特許請求の範囲】
【請求項１】
刈取部の横側部に運転部を包囲するキャビンを配置してあるコンバインにおいて、キャビン後部のリヤハッチの窓口をその下端が後方のグレンタンクの上面より高い位置になるよう構成してあることを特徴とするコンバイン。
【請求項２】
刈取部の横側部に運転部を包囲するキャビンを配置してあるコンバインにおいて、前記運転キャビンの刈取部側に面するサイドウインドであって上端側を支点として下端側が左右方向に揺動開閉するよう設けると共に、このサイドウインドの開閉ダンパは前部側寄りの一箇所にのみ配置した構成としてあることを特徴とするコンバイン。
【請求項３】
刈取部の横側部に運転部を包囲するキャビンを配置してあるコンバインにおいて、前記運転キャビンの刈取部側におけるサイドウインドを開閉可能に設け、昇降可能な刈取部の上昇時に刈取部側に設けたバックミラ−を前記運転キャビン内からサイドウインドを通じて調整できる構成としてあることを特徴とするコンバイン。
【発明の詳細な説明】
【０００１】
【発明の属する技術分野】
本発明は、刈取部の横側部に運転部を包囲するキャビンを備えたコンバインに関し、農業機械の技術分野に属する。
【０００２】
【従来の技術】
従来、キャビン付コンバインにおいて、キャビンの後部には開閉可能なリヤハッチが設けられ、そして、このリヤハッチの窓口は下端が後方のグレンタンの上面より低くくなるように構成されていた。（例えば、特許文献１参照）
【０００３】
【特許文献１】
特開平１１−１１５８２５号公報
【０００４】
【発明が解決しようとする課題】
従来のものでは、リヤハッチの窓口の下端がグレンタンクの上面より低くくなっているため、後方への視界が悪く、タンクの上部が邪魔になって窓口から身を大きく乗り出すことができないため、タンク内のメンテナンス作業等が容易にできない問題があった。
【０００５】
本発明の課題は、リヤハッチの窓口下端をグレンタンクの上面より高くすることによって、後方視界性を良くして安全性の高い作業を可能とし、タンク内のメンテナンス等の作業を容易にし、作業能率の向上を図ることにある。
【０００６】
【課題を解決するための手段】
本発明は、上述した課題を解決するために、次の如き技術手段を講じた。すなわち、請求項１記載の本発明は、刈取部の横側部に運転部を包囲するキャビンを配置してあるコンバインにおいて、キャビン後部のリヤハッチの窓口をその下端が後方のグレンタンクの上面より高い位置になるよう構成してあることを特徴とする。
【０００７】
リヤハッチの窓口がグレンタンクの上面より上方位置において開口しているので、後方がよく見えて視界性が良くなり、安全性の高い作業ができる。また、リヤハッチを開くと、窓口から大きく身を乗り出すことができ、グレンタンク内のセンサ等のメンテナンス作業が容易となり、作業性が良くなる。
【０００８】
請求項２記載の本発明は、刈取部の横側部に運転部を包囲するキャビンを配置してあるコンバインにおいて、前記運転キャビンの刈取部側に面するサイドウインドであって上端側を支点として下端側が左右方向に揺動開閉するよう設けると共に、このサイドウインドの開閉ダンパは前方側寄りの一箇所にのみ配置した構成としてあることを特徴とする。
【０００９】
サイドウインドの後方側には開閉ダンパが設置されてないため、作業の邪魔にならず、後方側での脱穀部における各種調節レバ−の調節操作や扱胴カバ−の開閉などの作業が容易に行なえる。
請求項３記載の本発明は、刈取部の横側部に運転部を包囲するキャビンを配置してあるコンバインにおいて、前記運転キャビンの刈取部側におけるサイドウインドを開閉可能に設け、昇降可能な刈取部の上昇時に刈取部側に設けたバックミラ−を前記運転キャビン内からサイドウインドを通じて調整できる構成としてあることを特徴とする。
【００１０】
刈取部を上昇させると、刈取部側に設けたバックミラ−がキャビン内から手の届く範囲内に達する。そこで、運転者は、運転席から降りることなく、キャビン内からバックミラ−を簡単に調整することができる。
【００１１】
【発明の効果】
以上要するに、請求項１の発明によれば、後方視界性が良くなって安全性の高い作業ができる。また、リヤハッチを開くと、窓口から大きく身を乗り出すことができて、グレンタンク内のメンテナンス作業が容易となり、作業性が向上する。
【００１２】
請求項２の発明によれば、従来のようにサイドウインドの前後にダンパを設けたものでは、脱穀部の上部に設けられた各種調節レバ−の調節操作の際、後方側のダンパ−が障害となって操作が容易にできない問題があったが、前方側一箇所のみにダンパを設けた構成であるため、上記従来の問題点を解消することができた。しかも、一本のダンパで足りるの安価に実施することができる。
【００１３】
また、請求項３の発明によれば、運転席から降りることなく、キャビン内からバックミラ−の調整を簡単に行うことができ、作業能率を高めることができる。
【００１４】
【発明の実施の形態】
以下、本発明の実施例を図面に基づいて具体的に説明する。
まず、図１及び図２に示す汎用コンバインの構成について述べる。
走行クロ−ラ１を具備する車体２上には、前部に昇降可能な刈取部３を、後部にスレッシャ−タイプの脱穀部４を搭載している。刈取部３のフイ−ダハウスの横側部には運転操作部５及び運転席６が設置され、その後方にはグレンタンク７が装備されている。グレンタンク内の穀粒を機外に排出する排出オ−ガ８がオ−ガ受体９によって収納状態に架設されている。
【００１５】
刈取部３は、立毛する穀稈を後方に掻き寄せる掻込リ−ル１０と、穀稈を根本から切断する刈取装置１１と、刈取後の穀稈を集送して後方に掻き込む集送オ−ガ１２と、該集送オ−ガ１２によって掻き込まれた穀稈を受け入れて後方の脱穀部４に揚上搬送するフイ−ドコンベア１３及びこのフイ−ドコンベア１３を内装軸架するフイ−ダハウス１４とからなり、機体に対し刈取昇降シリンダ１５を介して上下に昇降するよう構成されている。
【００１６】
運転キャビン１６は、前記運転操作部５及び運転席６等を包囲する構成であり、該キャビン１６の後部には開閉自在なリヤハッチ１７を配置している。このリヤハッチ１７は、横軸芯Ｐを支点として上下に揺動開閉するよう枢着支持している。そして、該リヤハッチ１７の窓口１８は、少なくともその下端１８ａが後方に位置するグレンタンク７の上面７ａよりも上方に高く位置する構成としている。これによって、後方への視界性が良くなる。
【００１７】
また、前記運転キヤビン１６の刈取部３側、即ちフイ−ダハウス１４側に面する側面部には開閉自在なサイドウインド１９を配置している。このサイドウインド１９は、外部が透視できる透明体などからなり、上端の前後軸芯Ｑを回動支点として下端側が左右横方向に揺動開閉するよう枢着支持している。そして、このサイドウインド１９の前後軸芯Ｑは、前記収納架設状態位置にある排出オ−ガ８と略同一高さ位置、又は、それより稍下方位置に設定して、サイドウインド１９が上方に大きく開放できるように構成している。
【００１８】
サイドウインド１９を開放状態で保持する開閉ダンパ−２０は、前方側一箇所にのみ配置した構成としている。従って、サイドウインド１９の後方側には開閉ダンパが設置されていないため邪魔にならず、例えば、後方の脱穀部上に設けられた排塵調節レバ−２１の操作や、扱胴カバ−の開閉ロックレバ−２２等の操作が容易となる。
【００１９】
コンバインの左側に設置するバックミラ−２３は、機体に対し昇降可能な刈取部３に装着支持する構成としている。そして、このバックミラ−２３を刈取部に装着するにあたっては、該刈取部３を所定位置に上昇させた時、運転席６よりバックミラ−に手が容易に届くようにその範囲内にバックミラ−を設置する。従って、バックミラ−を調整したい場合には、刈取部３を上昇させ、サイドウインド１９を開放し、運転席から手を差し出してバックミラ−を適宜調整することができる。
【００２０】
次に、走行クロ−ラの構成例について説明する。図６に示すように、左右のクロ−ラ１，１には、互いに対向する内側面部に沿って梯子状（波型）の切欠部１ｃ，１ｃ…を設けた構成としている。このような切欠部のない普通クロ−ラによると、特に、溝のある圃場での走行に際しては、クロ−ラの特に内端縁に亀裂が生じ寿命を短くしていたものである。上記のように梯子状の切欠部を設けておくとクロ−ラの損傷を防止でき、寿命を長期に維持することができる。
【００２１】
また、図７に示す実施例は、１番昇降機２５及び２番昇降機２６の底部の目抜き部分がクロ−ラ１の切欠部１ｃ…に対応する上方位置となるよう脱穀部４を搭載したものである。切欠部のないクロ−ラによるとクロ−ラ上に落下したゴミが堆積し、昇降機の底板に干渉し、底板を変形させる問題があった。本例によるとクロ−ラの切欠部が昇降機の底部下方に位置するため、ゴミがクロ−ラ上に落下しても堆積することがなく、上記問題点を解消することができる。
【００２２】
図８、図９に示す実施例において、脱穀部４の脱穀入力ギヤケ−ス部３０に設けた回転センサ３１によって脱穀回転数を検出し、過負荷により脱穀部の回転数が所定以下にドロップすると、警報装置３２が警報を発するように構成している。運転操作部５のサイドパネル３３には警報「入・切」スイッチ３４が設けられている。また、エンジン回転を並行して検出するように構成し、エンジンが低回転数においては作業中でないと判断し警報は鳴らないようにする。なお、かかる警報手段は、警告度の高い警報のため、ブザ−停止スイッチではアラ−ムを停止させることができない（トラブル解消まで鳴り放題）構成とする。
【００２３】
キャビン仕様においては、脱穀部の負荷音が聞こえにくく、また、脱穀部の負荷をエンジン回転計のみで判断すると、超過負荷で脱穀入力ベルトがスリップしている場合を認識できない問題があるが、上記本例においては、熟練作業でなくとも脱穀部の過負荷状態を容易に判断することができる。
【００２４】
図９中、３５は前後方向の揺動操作によりＨＳＴを駆動し機体の前進変速制御及び後進変速制御を司どる走行変速レバ−（ＨＳＴレバ−）、３６は左右方向の揺動操作で機体の進行方向を制御し、前後方向の揺動操作により刈取部３を昇降制御する操作レバ−（パワステレバ−）である。
【００２５】
図１０に示すように、ワンウエイクラッチ４０は、該クラッチ４０の伝動ギヤ４１に対する係合及び離脱によって、エンジンＥから伝動軸４２を経て刈取部３（刈取入力軸４３）への伝動系と走行ミッションＭ（走行出力軸４４）から前記伝動軸４２を経て刈取部３への伝動系とに切り替える構成である。また、このワンウエイクラッチ４０は脱穀部４とグレンタン７との間に配置されたギヤケ−ス４５に内臓されており、そして、該ワンウエイクラッチ４０の前記伝動ギヤ４１に対する入切（係脱）操作は切替レバ−４６によって行うが、この切替レバ−４６は、図１１に示すように、ギヤケ−ス４５より直接取り出すように構成し、該ギヤケ−スから突出した状態のレバ−部をグレンタンク７の漏斗状傾斜部７Ｓの下方空間内に配置した構成としている。従来のように、ギヤケ−スが機体内部にある場合、切替レバ−と長いロッドで連動連結する必要があり、構成複雑で動作も不確実となっていたが、上記本例による場合は、クラッチの入切操作がグレンタンクをオ−プンすれば簡単にできる位置にあり、切替レバ−もギヤケ−スに直結しており、構成簡単でありながら動作も確実である。
【００２６】
次に、ワンウエイクラッチ４０の構造について説明する。従来では、図１２に示すように、クラッチ爪４０ａを支持ピン４０ｂの座金４０ｃによって保持する構成であるため、支持ピンの支持が片持ち状になって爪の支持力が弱く不安定であった。本例では、図１３〜図１５に示すように、クラッチ爪４０ａの各支持ピン４０ｂ，４０ｂ，４０ｂをリングプレ−ト４０ｄによって相互に保持させることで、クラッチ爪の支持力を強く保持たせた構成としている。しかも、そのリングプレ−ト４０ｄをカラ−４０ｅにて保持させることで、プレ−ト自体を補強することになり、万一クラッチ構成部品が破損した場合でも部品がケ−ス内部に脱落して２次破損を防止することができる。
【図面の簡単な説明】
【図１】汎用コンバインの左側面図
【図２】同上右側面図
【図３】汎用コンバインの左側面図
【図４】同上正面図
【図５】汎用コンバインの要部の斜視図
【図６】クロ−ラ要部の平面図
【図７】コンバイン要部の平面図
【図８】脱穀部の要部の側面図
【図９】運転操作部の平面図
【図１０】コンバインの動力伝達経路図
【図１１】コンバイン要部の正面図
【図１２】ワンウエイクラッチの一部の斜視図
【図１３】ワンウエイクラッチの斜視図
【図１４】同上要部の側面図
【図１５】同上要部の切断正面図
【符号の説明】
１    走行クロ−ラ                ２    車体
３    刈取部                      ４    脱穀部
５    運転操作部                  ６    運転席
７    グレンタンク                ７ａ  グレンタンク上面
１０    掻込リ−ル                １６    運転キャビン
１７    リヤハッチ                １８    窓口
１８ａ  窓口の下端                １９    サイドウインド
２０    開閉ダンパ−              ２３    バックミラ−
【図１】
2004337102.tif 000003
【図２】
2004337102.tif 000004
【図３】
2004337102.tif 000005
【図４】
2004337102.tif 000006
【図５】
2004337102.tif 000007
【図６】
2004337102.tif 000008
【図７】
2004337102.tif 000009
【図８】
2004337102.tif 000010
【図９】
2004337102.tif 000011
【図１０】
2004337102.tif 000012
【図１１】
2004337102.tif 000013
【図１２】
2004337102.tif 000014
【図１３】
2004337102.tif 000015
【図１４】
2004337102.tif 000016
【図１５】
2004337102.tif 000017